(57)【要約】【課題】景観性または耐久性に優れる法面の安定化方法を提供すること。【解決手段】法面の安定化方法であって、法面に、領域の一部または全部を目地材で囲んでなる充填空間を形成し、前記充填空間に充填材を充填して法面ブロックを構築することを特徴とする。目地材には可撓性を備える長尺状の部材を用いることができる。【選択図】図４
2017002662.tif 000002
【特許請求の範囲】
【請求項１】
法面の安定化方法であって、
法面に、領域の一部または全部を目地材で囲んでなる充填空間を形成し、
前記充填空間に充填材を充填して法面ブロックを構築する、
ことを特徴とする、法面の安定化方法。
【請求項２】
前記法面ブロックの構築を、逆巻き工法で施工することを特徴とする、請求項１に記載の法面の安定化方法。
【請求項３】
前記目地材を、設置済みの受圧板の外枠に沿って配置したことを特徴とする、請求項１または２に記載の法面の安定化方法。
【請求項４】
法面に複数の法面ブロックを構築する際に用いる目地材であって、
可撓性を備える長尺状の本体部、を少なくとも含むことを特徴とする、
法面用の目地材。
【請求項５】
前記本体部にスリットを設けたことを特徴とする、請求項４に記載の法面用の目地材。
【発明の詳細な説明】
【技術分野】
【０００１】
本発明は、法面の安定化方法および、該方法に用いる目地材に関する。
【背景技術】
【０００２】
法面の保護工法として、法面全体にモルタルやコンクリートなどの充填材を吹付けまたは打設する工法が知られている（非特許文献１）。
本工法は、ホース１本で吹付作業ができること、曲面施工が容易であること、型枠が不要であること、など多くの利点があるため、急斜面などの現場において、頻繁に利用されている。
【先行技術文献】
【特許文献】
【０００３】
【非特許文献１】http://www.jasdim.or.jp/gijutsu/gakekuzure_joho/sekkei/hukituke/index.html
【発明の概要】
【発明が解決しようとする課題】
【０００４】
しかし、前記した吹付工法は、以下に記載する問題のうち少なくとも何れか一つの問題がある。
（１）景観性に乏しい。
法面全体が充填材で覆われるため、景観性に乏しい。
（２）耐久性に乏しい。
充填材の吹付厚さが薄く、また吹付の継ぎ目部分が弱部となりやすいため、耐久性に乏しい。
【０００５】
よって、本発明は、景観性または耐久性に優れる法面の安定化方法を提供することを目的の一つとする。
【課題を解決するための手段】
【０００６】
上記課題を解決すべくなされた本願の第１発明は、法面の安定化方法であって、法面に、領域の一部または全部を目地材で囲んでなる充填空間を形成し、前記充填空間に充填材を充填して法面ブロックを構築する、ことを特徴とする。
また、本願の第２発明は、前記第１発明において、前記法面ブロックの構築を、逆巻き工法で施工することを特徴とする。
また、本願の第３発明は、前記第１または第２発明において、前記目地材を、設置済みの受圧板の外枠に沿って配置したことを特徴とする。
また、本願の第４発明は、法面に複数の法面ブロックを構築する際に用いる目地材であって、可撓性を備える長尺状の本体部、を少なくとも含むことを特徴とする。
また、本願の第５発明は、前記第４発明において、前記本体部にスリットを設けたことを特徴とする。
【発明の効果】
【０００７】
本発明によれば、少なくとも何れか１つの効果を奏する。
（１）景観性が向上する。
保護対象の法面全体を充填材で覆う方法でありながら、目地処理がされた壁面のような意匠性や、プレキャスト製の法面ブロックを配置したような意匠性をもった保護法面を構築することができる。
（２）耐久性が向上する。
目地材で領域の一部または全部を囲んでなる充填空間を区画形成し、該充填空間単位で吹付等の作業を行うため、充填材の密な充填に寄与する。よって、吹付厚さを任意に設定することができ、隣り合う充填空間同士の間が弱部になることもない。
【図面の簡単な説明】
【０００８】
【図１】受圧板の設置工程を示す概略斜視図。
【図２】目地材の配置工程を示す概略斜視図。
【図３】目地材の一例を示す概略斜視図。
【図４】吹付工程を示す概略斜視図
【図５】一段分の法面ブロックを構築した状態を示す概略斜視図。
【図６】複数段の法面ブロックを構築した状態を示す概略斜視図。
【発明を実施するための形態】
【０００９】
以下、図面を参照しながら、本発明の実施例について説明する。
【実施例】
【００１０】
＜１＞前提。
本実施例では、施工対象とする法面の法肩側から法尻方向に向けて、モルタルの吹付面を構築していく、いわゆる逆巻き工法での施工を一例として説明する。
なお、各工程は作業に矛盾が生じない範囲で、順番の入れ換えや、並行作業を行ってもよい。
また、必要に応じて、本発明に係る方法の実施前に、法面の整形工または掘削工を行っても良い。
【００１１】
＜２＞金網の敷設・アンカーの配置（図１）。
始めに、保護対象の法面Ａに金網１０を敷設してから、所定の箇所にアンカーを打ち込む。図１では、後述する受圧板３０を法面に押しつけるためのロックボルト２０を法面Ａに打設した状態を呈している。
【００１２】
＜３＞受圧板の設置（図１）。
次に、金網１０上に順次受圧板３０を設置していく。
本実施例に係る受圧板３０は、鋼製部材からなり、矩形状を呈する外枠３１と、該外枠３１の中央に前記ロックボルト２０を挿通するための貫通孔３２と、を設けてある。
本実施例では、隣り合う受圧板３０同士を、やや隙間が空くように配置している。これは、後述する目地材４０の配置スペースを確保するためである。
受圧板３０の設置後は、ロックボルト２０を介して受圧板３０を法面Ａに支圧する。
【００１３】
＜４＞目地材の配置（図２）。
次に、受圧板３０の外枠３１に沿うように目地材４０を配置する。
本実施例では、前記外枠３１の外側面を取り囲むように目地材４０を配置している。
目地材４０で囲まれた領域は、後述する充填材６０を吹付けるための空間（充填空間５０）となる。
【００１４】
＜４．１＞目地材の一例（図３）。
図３に、目地材の一例を示す。
目地材４０は、長尺状（帯状）の本体部４１を少なくとも含み、前記本体部４１は、法面Ａの不陸に追従可能な程度の可撓性を持たせる。
本体部４１に可撓性を持たせる方法としては、本体部４１の素材をゴムや合成樹脂（プラスチック）等の弾性部材とする方法や、目地材４０の長手方向に適宜間隔を設けて、上側または下側から切り込んだスリット４２を設ける方法、或いはこれらの併用などがある。
図４に示す目地材４０では、弾性部材からなる本体部４１に、さらにスリット４２を設けることで、法面Ａの不陸に対する追従性を高めている。
なお、このスリット４２は、別体の目地材４０と互いに連結するための連結部として兼用することもできる。
【００１５】
＜５＞充填材の吹付け（図４）。
次に、前記充填空間５０内に充填材６０を充填する。
本実施例では、充填材５０はモルタルであり、充填作業は吹き付けによって行う。このとき、目地材４０の上端の位置を、モルタルの吹付け厚の目安とすることができる。
また、目地材４０は、充填空間５０の外へ充填材６０が漏れ出すことを防止する障壁としても機能する。
よって、充填空間５０内に、充填材６０を密に充填することができる。
【００１６】
＜６＞目地処理・法面ブロックの完成（図５）。
充填材６０の充填後、目地材４０を配置してある箇所は、将来的な目地部分として、充填材６０の硬化前に目地処理を行う。
この目地処理は、該当箇所をコテでそぎ落とす方法や、目地材の一部または全部を取り除くなどの方法がある。
すなわち、目地材４０は、その一部または全部について、撤去または残置を任意に選択することができる。
目地７１で囲まれた部分は、受圧板３０単位で、法面ブロック７０が構築されたような景観となる。
【００１７】
＜６．１＞法面ブロックの表面処理。
なお、法面ブロック７０の表面には、公知の方法で別途意匠処理を施してもよい。
【００１８】
＜７＞保護法面の完成（図６）。
上記の工程を、必要に応じて適宜繰り返しながら法肩側から法尻側へと法面ブロック７０の列を構築していくことで、作業現場よりも上方の法面崩壊を防止しながら保護法面８０を構築することができる。
【００１９】
本実施例に係る方法によれば、法面全体を充填材で覆ったにも関わらず、目地処理のされた壁面のような意匠性や、プレキャスト製の法面ブロックを配置したような意匠性を持たせることができ、景観性に優れた保護法面を構築することができる。
また、本実施例に係る目地材によれば、吹付厚さを任意の高さに設定することができ、さらに充填材を密に吹付けてなる法面ブロックを１ブロック単位で構築することもできるため、意図しない箇所が弱部となることもない。
【００２０】
＜８＞その他の実施例。
その他の実施例について以下説明する（図示せず）。
【００２１】
＜８．１＞順巻き工法での構築。
本発明に係る方法は、逆巻き工法に限定されない。
よって、法尻側から法肩側へと順に法面ブロック列を構築していってもよい。
【００２２】
＜８．２＞金網・受圧板・アンカーの有無。
本発明に係る方法は、金網１０、アンカー（ロックボルト２０）、受圧板３０を省略することができる。
例えば、受圧板３０を省略した際には、金網１０やアンカー（ロックボルト２０）などを支持具として、任意の形状（格子状、アミダ模様など）に目地材４０を組み立てて充填空間５０を形成することができる。
【００２３】
＜８．３＞目地材の配置箇所。
前記方法では、受圧板３０の外枠３１の外側面に沿わせて目地材４０を配置しているが、本発明は、上記配置態様に限定されない。
例えば、目地材４０は、受圧板３０の外枠３１の上部に配置することもできる。このとき、目地材４０について、法面Ａの不陸に対する追従性を大きく考慮する必要はないため、スリット４２の数を減らしたり、目地材４０の素材自体を可撓性の低い材料で構築したりすることができる。
【００２４】
＜８．４＞充填材の種類。
本発明で用いる「充填材」の文言は、モルタルに限らず、ソイルセメントやコンクリート、或いはそれらに短繊維を混合したものを使用することができる。
また「充填」の文言には、吹付、打設または注入などが含まれる。
【符号の説明】
【００２５】
１０  金網
２０  ロックボルト
３０  受圧板
３１  外枠
３２  貫通孔
４０  目地材
４１  本体部
４２  スリット
５０  充填空間
６０  充填材
７０  法面ブロック
７１  目地
８０  保護法面
【図１】
2017002662.tif 000003
【図２】
2017002662.tif 000004
【図３】
2017002662.tif 000005
【図４】
2017002662.tif 000006
【図５】
2017002662.tif 000007
【図６】
2017002662.tif 000008